(57)【要約】【課題】従来よりも詳細に配光制御をした光により、下方を照らすとともに、上方を明るく照らすことができる照明器具を提供する。【解決手段】照明器具であって、光源５３ｂと、照明器具の内部に配され、照明器具の外側に向かうにつれて下方向に傾斜する光制御部材６０１及び６０２とを備え、光制御部材６０１及び６０２は、光源５３ｂからの出射光の一部である第１の部分出射光を上方向に進行するよう制御する。【選択図】図７
2020091937.tif 000002
【特許請求の範囲】
【請求項１】
照明器具であって、
光源と、
前記照明器具の内部に配され、前記照明器具の外側に向かうにつれて下方向に傾斜する光制御部材とを備え、
前記光制御部材は、前記光源からの出射光の一部である第１の部分出射光を上方向に進行するよう制御する
照明器具。
【請求項２】
前記照明器具は、
さらに、上下方向に配された反射板を備え、
前記反射板は、前記光源からの出射光の一部である第２の部分出射光を下方へ反射する
請求項１記載の照明器具。
【請求項３】
前記反射板の断面は、表面が前記光源を焦点の一方とする楕円の一部に一致する
請求項２記載の照明器具。
【請求項４】
前記反射板は、前記第２の部分出射光として、前記光源の表面に対しカットオフアングル以下の方向に照射された光の少なくとも一部を反射する
請求項２又は３記載の照明器具。
【請求項５】
前記照明器具は、
前記第１の部分出射光が前記光制御部材に到達するよう制御するレンズを備える
請求項１から４のいずれか１項記載の照明器具。
【請求項６】
前記レンズは、凸レンズの前記光源に面する側を階段状に凹ませた曲面フレネルレンズである
請求項５記載の照明器具。
【請求項７】
前記光制御部材の断面は、表面が前記光源を焦点とする放物線の一部に一致する反射面を有する
請求項１記載の照明器具。
【請求項８】
前記第１の部分出射光が透過する上カバー部と、前記第２の部分出射光を透過する下カバー部を備え、前記上カバー部の透過率は前記下カバー部の透過率より高い
請求項２から４のいずれか１項記載の照明器具。
【請求項９】
照明器具に用いられる光源ユニットであって、
光源と、
前記光源ユニットの外面の内側に配され、水平に対し傾斜する光制御部材とを備え、
前記光制御部材は、前記光源からの出射光の一部である第１の部分出射光を水平に対し上方向に進行するよう制御する
光源ユニット。
【請求項１０】
前記光源ユニットは、
さらに、上下方向に配された反射板を備え、
前記反射板は、前記光源からの出射光の一部である第２の部分出射光を下方へ反射する
請求項９記載の光源ユニット。
【発明の詳細な説明】
【技術分野】
【０００１】
本発明は、照明器具及び光源ユニットに関する。
【背景技術】
【０００２】
天井面に配される照明器具の１つに、下方、例えば床側を照らすとともに上方、例えば天井面側をも照らすものがある（特許文献１参照）。この照明器具は、器具本体に、アパーチャを画定する１つ以上の反射要素を備え、アパーチャを通過する光が下方を照らし、反射要素により反射される光が上方の天井面を照らしている。
【先行技術文献】
【特許文献】
【０００３】
【特許文献１】特開２０１７−５１３１９３号公報
【発明の概要】
【発明が解決しようとする課題】
【０００４】
上述の照明器具では、実施形態として吊り下げソケットに設置された照明ユニットが示されている。この場合、光源が天井から吊り下げられることにより広範囲の天井を照らすことはできるものの、光源の位置が天井より低くなるためすっきりとした天井にならず、天井をすっきりさせるため光源を天井に直付けあるいは埋め込みした場合においては、広範囲の天井を照らすことができないという問題がある。
【０００５】
本発明は、係る問題に鑑みてなされたものであり、明るさ感を考慮した配光制御をした光により、下方を照らすとともに、上方を明るく照らすことができる照明器具を提供することを目的とする。
【課題を解決するための手段】
【０００６】
上記課題を解決するために本発明に係る照明器具は、照明器具であって、光源と、前記照明器具の内部に配され、前記照明器具の外側に向かうにつれて下方向に傾斜する光制御部材とを備え、前記光制御部材は、前記光源からの出射光の一部である第１の部分出射光を上方向に進行するよう制御する。
【発明の効果】
【０００７】
上述の構成により、本発明に係る照明器具は、制御された光により従来よりも上方を明るく照らすことができる照明器具を提供できる。
【図面の簡単な説明】
【０００８】
【図１】本発明の第１の実施形態に係る照明器具を示す下方斜視図
【図２】図１に係る照明器具の器具本体と光源ユニットとを分離した状態を示す下方斜視図
【図３】（ａ）図１に係る照明器具の、器具本体に光源ユニットが取り付けられている場合の断面模式図、（ｂ）図１に係る照明器具の、光源ユニットが器具本体から分離される際に、下方に引っ張られた状態を示す断面模式図
【図４】光源基板に光源が配された光源部を模式的に示す平面図
【図５】光源ユニットに係るカバー部を表す上方斜視図
【図６】光源部とカバー部とを短辺側の一方側からみた場合を表す模式図
【図７】図６の光源部とカバー部との配置にて（ａ）下方及び側方を照らす光の経路を示す図、（ｂ）上方及び側方を照らす光の経路を示す図
【図８】図６の光源部とカバー部との配置における光の経路を示す図（図７（ａ）及び図７（ｂ）に示す光の経路を併せて示す図）
【図９】（ａ）レンズ部を示す上方斜視図、（ｂ）レンズ部を短辺側からみた図、（ｃ）部分曲面フレネルレンズを示す図、（ｄ）レンズ部を構成する部分に相当する、部分曲面フレネルレンズを分割した状態を模式的に示す図
【図１０】（ａ）凸レンズを模式的に示す平面図、（ｂ）フレネルレンズを模式的に示す平面図、（ｃ）曲面フレネルレンズを模式的に示す平面図
【図１１】本発明の第２の実施形態に係る、光源部とカバー部とを短辺側の一方側からみた場合を表す模式図
【図１２】図１１の光源部とカバー部との配置にて（ａ）下方及び側方を照らす光の経路を示す図、（ｂ）上方及び側方を照らす光の経路を示す図
【図１３】図１１の光源部とカバー部との配置における光の経路を示す図（図１２（ａ）及び図１２（ｂ）に示す光の経路を併せて示す図）
【図１４】本発明の変形例に係る、光源部とカバー部とを短辺側の一方側からみた場合を示す模式図
【発明を実施するための形態】
【０００９】
＜１．第１の実施形態＞
以下、本発明の一実施形態に係る照明器具１０について図面を参照しながら説明する。照明器具１０は、図１に示すように、一例として長尺状の形状を有し、取付対象の一例としての天井面に直付けまたは埋め込みで取り付けられ、天井面側及び床側に向けて光を照射する。すなわち照明器具１０は、下方向を中心とする一方向を照らす２π配光的な光源を使用して上方向を含む全方向を照らす４π配光的な照明器具を実現可能な照明器具である。照明器具１０は、器具本体３０及び光源ユニット５０を備える。
【００１０】
＜１．１．器具本体３０＞
器具本体３０は、図２に示すように、一の面に収容凹部ＣＯが形成された箱状の外観を有し、筐体３１、バネ受け３３ａ、及びバネ受け３３ｂを備える。
【００１１】
筐体３１は、器具本体３０の外観を構成し、一の面に収容凹部ＣＯが形成された箱状の部材である。筐体３１は、押出加工や板金を曲げ加工等して形成される。筐体３１は、図２、図３（ａ）及び図３（ｂ）に示すように、長尺状の底板部３１ａの長辺から長辺側板部３１ｂ及び長辺側板部３１ｃが起立し、底板部３１ａの短辺から短辺側板部３１ｄ及び短辺側板部３１ｅが起立して成る。器具本体３０は、底板部３１ａを天井面に設置する直付け型としてもよく、例えば長辺側板部３１ｂ及び長辺側板部３１ｃの下端が天井面に一致するように設置する埋め込み型としてもよい。
【００１２】
なお、以下の説明では便宜上、天井面に照明器具１０が取り付けられた場合における、照明器具１０からみて天井方向を「上」、その逆である床方向を「下」という。「上方向」の光とは上方向の成分を有する光という意味であって斜め上方向の光を含んでもよく、「下方向」の光とは下方向の成分を有する光という意味であって斜め下方向の光を含んでもよい。また、短辺側板部３１ｄ側から短辺側板部３１ｅ側をみる場合の断面を「基準視」（図５中、破線矢印ＳＶにて模式的に示す）といい、基準視にて右側を単に「右側」と表現し、左側を単に「左側」とい、光源ユニットの右側及び左側の外面を「外側」、照明器具の外面で囲まれた部分を「内部」という。
【００１３】
底板部３１ａの下面である底面３１ａａには、図３（ａ）に示されるように台座３７ｂが配され、台座３７ｂの下面にバネ受け３３ｂが配される。バネ受け３３ｂは、バネブラケットであり、光源ユニット５０が有する取付バネ部５７ｂが係合される。バネ受け３３ｂの場合と同様に、バネ受け３３ａが、底面３１ａａに取り付けられた台座（図示せず）の下面に配される。バネ受け３３ａは、バネブラケットであり、光源ユニット５０が有する取付バネ部５７ａが係合される。バネ受け３３ａ及びバネ受け３３ｂは、金属板を孔あけ加工、折り曲げ加工等して形成される。台座３７ａ及び台座３７ｂは、バネ受け３３ａ及びバネ受け３３ｂを底上げして取付バネ部５７ａ及び取付バネ部５７ｂに近づける機能を有する。
【００１４】
底板部３１ａには、図２に示すように天井面などから露出し照明器具１０に電力を供給するための電源ケーブル１５などの電線を通すための電線用孔が長手方向に沿って複数設けられている。底面３１ａａには電源端子台（図示せず）が配されており、この電源端子台に、器具本体３０外から電線用孔を通して器具本体３０内に通された電源ケーブル１５が接続される。電源端子台には、ケーブル３５ａの基端側が電気的に接続されており、電源端子台に接続された電源ケーブル１５とケーブル３５ａとが電気的に接続する。ケーブル３５ａは先端側にコネクタ３５ｂを有する。
【００１５】
＜１．２．光源ユニット５０＞
光源ユニット５０は、図２、図３（ａ）及び図３（ｂ）に示すように、支持体５１、光源部５３、電源部５５、取付バネ部５７ａ、取付バネ部５７ｂ、及び拡散カバーの一例であるカバー部５９を有する。
【００１６】
＜支持体５１＞
支持体５１は、長尺板状の部材であり、アルミ合金などの金属材料で押出成形により形成され、光源部５３が発する熱を放散するためのヒートシンクとして機能する。支持体５１の下面には光源部５３が配され、上面には電源部５５、取付バネ部５７ａ、取付バネ部５７ｂが配される。
【００１７】
＜光源部５３＞
光源部５３は、図３（ａ）、図３（ｂ）及び図４に示すように、長尺状の光源基板５３ａの下面に、複数の光源５３ｂが長手方向に間隔を空けて列状に配されてなる。光源５３ｂは、一例として表面実装型ＬＥＤ（Ｌｉｇｈｔ  Ｅｍｉｔｔｉｎｇ  Ｄｉｏｄｅ）である。
【００１８】
＜電源部５５＞
電源部５５は、電源ケーブル１５を介して照明器具１０の外部から供給される交流電力を、光源５３ｂを駆動するための直流電力に変換し、光源５３ｂに供給する機能を備える。電源部５５にはケーブル５８ａの基端側が電気的に接続しており、ケーブル５８ａは先端側にコネクタ５８ｂを有する。コネクタ３５ｂとコネクタ５８ｂとが接続されることにより、外部から電源部５５への電力供給が可能となる。
【００１９】
＜取付バネ部５７ａ、取付バネ部５７ｂ＞
取付バネ部５７ａは、器具本体３０が有するバネ受け３３ａに係合する部材であり、一例として、バネ線材を曲げ加工等して形成されたダブルトーションバネを備える。取付バネ部５７ａがバネ受け３３ａに係合することにより、光源ユニット５０がダブルトーションバネの弾性力により器具本体３０に引き寄せられる。これにより、光源ユニット５０は、光源ユニット５０の少なくとも一部が収容凹部ＣＯに収容される態様で、器具本体３０に取り付けられる。取付バネ部５７ｂは、器具本体３０が有するバネ受け３３ｂに係合する部材である。取付バネ部５７ｂの構成及び機能は、取付バネ部５７ａと同様である。
【００２０】
＜カバー部５９＞
カバー部５９は、光源５３ｂが出射する光を上方向及び下方向に分ける機能、反射する機能、分けられた光を透過及び拡散させる機能を備える。これにより、光源５３ｂが出射する出射光により、下方を照らすとともに、側方、上方をも照らすことのできる明るさ感照明を実現することができる。
【００２１】
カバー部５９は、図２及び図５に示すように、両端が開口した筒状の筒部５９０、筒部５９０の両開口を塞ぐ端板部５９８及び端板部５９９を備える。端板部５９８及び端板部５９９は、一例として、ポリカーボネイトで構成され、白色半透明であり、光透過率は一例として６５％〜７５％である。
【００２２】
筒部５９０は、図５及び図６に示すように、係合部５９１、係合部５９２、上カバー部５９３、上カバー部５９４、下カバー部５９５、レンズ部５９７、第２の反射板の一例である反射板６０１及び反射板６０２を備える。
【００２３】
係合部５９１及び係合部５９２は、支持体５１が係合される部分であり、一例としてポリカーボネイトで構成され、白色不透明である。図６に示すように、係合部５９１は、光源５３ｂに面するように、上下方向に配された反射板の１つである反射板５９１ａを有し、係合部５９２は、光源５３ｂに面するように、上下方向に配された反射板の１つである反射板５９２ａを有する。反射板５９１ａ及び反射板５９２ａにより、光源５３ｂから出射される出射光の一部について、光源５３ｂの表面に対し、光源５３ｂの表面と反射板５９１ａの下端との成す角、及び光源５３ｂの表面と反射板５９２ａの下端との成す角であるカットオフアングルθ４（図６参照）以下の方向に照射された光の少なくとも一部を反射し、直接ユーザの視界に入ることが防がれることから、グレアの発生を防止することができる。反射板５９１ａ及び反射板５９２ａの光源５３ｂに面する表面は、基準視方向からみて、光源５３ｂの表面中心を一方の焦点ＦＰ１とする楕円曲線ＯＶの一部に一致する曲面となっている。楕円曲線ＯＶのもう一方の焦点ＦＰ２は、光源５３ｂの光軸ＯＡ上で、かつ後述の上板部５９５ｈの中心に定めているが、これに限らず、目的の配光制御に応じて変更してもよい。楕円曲線ＯＶについても、目的とする配光制御に応じた式を用いてよい。
【００２４】
係合部５９１は、略コの字状の受け入れ部５９１ｂを備え、係合部５９２は、受け入れ部５９１ｂに向かい合う略コの字状の受け入れ部５９２ｂを有する。支持体５１は、受け入れ部５９１ｂ及び受け入れ部５９２ｂが構成する空間内に挿通され支持される。
【００２５】
上カバー部５９３・５９４、下カバー部側板下部５９５ｂ・５９５ｃが、光透過性の外側の外面を形成する。上カバー部５９３は、係合部５９１に接続し、カバー部５９の左側板の上部を含む部分である。上カバー部５９４は、係合部５９２に接続し、カバー部５９の右側板の上部を含む部分である。上カバー部５９３及び上カバー部５９４は、一例としてポリカーボネイトで構成され、無色透明であり、光透過率は一例として９２％である。上カバー部５９３及び上カバー部５９４においては、光透過率が下カバー部５９５の底板部５９５ａ、側板下部５９５ｂ・５９５ｃより高くなっていることにより、光源５３ｂから出射され、後述の反射板６０１及び反射板６０２によって上方へ反射される出射光によって、効率良く上方、天井面を照らすことができ、明るさ感が向上する。また、上カバー部５９３及び上カバー部５９４を通過する光は、直接下方へと向かうことがないので、光透過率が高いにもかかわらずユーザが不快なまぶしさを感じることはない。すなわち、グレアの発生を防止することができる。なお、グレアの観点では上カバー部を省略してもよいが、天井における光の拡散性が低い場合に天井に光源が写り込むことを避ける効果と、上カバー部に埃カバーとしての効果があるため、本実施形態では若干拡散性のある上カバー部としている。
【００２６】
下カバー部５９５は、図５及び図６に示すように、略直方体状の形状を有し、上カバー部５９３及び上カバー部５９４に接続し、カバー部５９の略下半分を構成する部分である。下カバー部５９５は、一例としてポリカーボネイトで構成され、白色半透明であり、光透過率は一例として６５％〜７５％である。下カバー部５９５は、一例として押出により成形される。
【００２７】
下カバー部５９５は、底板部５９５ａ、側板下部５９５ｂ、側板下部５９５ｃ、側板中部５９５ｄ、側板中部５９５ｅ、斜板部５９５ｆ、斜板部５９５ｇ及び上板部５９５ｈを備える。
【００２８】
底板部５９５ａは、カバー部５９の底板に該当する長尺板状の部分である。側板下部５９５ｂ及び側板下部５９５ｃは、底板部５９５ａの各長辺から起立する部分である。斜板部５９５ｆは、側板下部５９５ｂの上端部から、カバー部５９の内側かつ斜め上方へと張り出した部分である。斜板部５９５ｇは、側板下部５９５ｃの上端部から、カバー部５９の内側かつ斜め上方へと張り出した部分である。上板部５９５ｈは、斜板部５９５ｆ及び斜板部５９５ｇに連続し、底板部５９５ａと平行な板状の部分であり、筒部５９０の上面の一部を構成する。側板中部５９５ｄは、側板下部５９５ｂの上端部から上へ連続する部分であり、上カバー部５９３の下端に接続する。側板中部５９５ｅは、側板下部５９５ｃの上端部から上へ連続する部分であり、上カバー部５９４の下端に接続する。
【００２９】
反射板６０１は、光制御部材の１つであり、表面が鏡面となっており、鏡面を上として斜板部５９５ｆの上に貼付される部材である。反射板６０２は、光制御部材の１つであり、表面が鏡面となっており、鏡面を上として斜板部５９５ｇの上に貼付される部材である。反射板６０１及び反射板６０２は、光源５３ｂからの出射光の一部を水平に対し上方向に進行するよう制御する機能を有しており、照明器具の外側に向かうにつれて下方向に傾斜することにより、光源から離れた天井まで広く照らすことができるため、天井の明るさ感が向上する。反射板６０１及び反射板６０２は、アルミニウムで構成するものとするが、光を反射する機能を備えた他の素材で構成するものとしてよい。また、反射板６０１及び反射板６０２は、貼付に限らず蒸着などの他の方法で斜板部５９５ｆ及び斜板部５９５ｇの上に形成されてもよい。
【００３０】
レンズ部５９７は、光源５３ｂより出射される部分出射光Ｌ２１（詳細は後述）が、反射板６０１及び６０２によって反射されるように制御し、係合部５９１の反射板５９１ａの下端、及び係合部５９２における反射板５９２ａの下端のそれぞれに連続するよう配される。レンズ部５９７は、一例として、ポリカーボネイトで構成され、白色半透明であり、光透過率は９０％である。
【００３１】
レンズ部５９７は、図９（ａ）及び図９（ｂ）に示すように、部分曲面フレネルレンズ部５９７ａ、部分曲面フレネルレンズ部５９７ｂ、及びレンズ台座部５９７ｃを備える。
【００３２】
レンズ台座部５９７ｃは、長尺板状の部材であり、下向きに突出する突出部５９７ｄを備える。突出部５９７ｄは、レンズ部５９７を凹状の固定位置に配置する場合に凹みに入り込んで左右方向の位置ずれを規制する機能を有する。部分曲面フレネルレンズ部５９７ａ及び部分曲面フレネルレンズ部５９７ｂは、図９（ｃ）に示すような曲面フレネルレンズ６５を、図９（ｄ）に示すように半分に分けた部材である部分曲面フレネルレンズ６５ａ及び部分曲面フレネルレンズ６５ｂに相当する。
【００３３】
ここで、曲面フレネルレンズは、フレネルレンズと同様な機能を有するレンズであるが、以下のような差異がある。すなわち、フレネルレンズの一例としての図１０（ｂ）に示すようなフレネルレンズ６３は、図１０（ａ）に示すような断面形状を有する凸レンズ６１について、表面を細かく分解し、厚みを減らすために平面状に配置した断面形状を有する。他方、曲面フレネルレンズの一例としての曲面フレネルレンズ６５は、図１０（ａ）に示すような断面の凸レンズについて、表面を細かく分解し、全体の厚みを減らさず、分解されたレンズ個々の厚みを減らした形状を有する。ここで、レンズ個々の厚みを減らして、レンズの光源側に、一例として図１０（ｃ）中に一点鎖線で囲った空間６７を設けたことにより、光源５３ｂとレンズ部５９７が図６及び図８に示すような位置関係で配置された場合に、光源５３ｂから出射され反射板５９１ａ及び５９２ａにて反射された光は、空間６７を進むことができ、レンズに当たってしまい意図と異なる方向へ導光されてしまうのを防ぐことができる。
【００３４】
なお、図１０（ｃ）に示した曲面フレネルレンズ６５と、図９（ｃ）に示した曲面フレネルレンズ６５の形が異なっているが、図１０（ａ）〜図１０（ｃ）は、あくまで曲面フレネルレンズについて説明するため模式的に示した図である。
【００３５】
＜１．３．光の経路＞
以上のように構成された照明器具１０において、光源５３ｂから出射された出射光が通る経路について図６、図７（ａ）、図７（ｂ）及び図８を用いて説明する。
【００３６】
ここで、以下の説明では筒部５９０の基準視にて、θ１は、光源５３ｂの光軸ＯＡと反射板６０１の光源５３ｂに近い側の長辺端ＬＥ１とが成す角、及び光軸ＯＡと反射板６０２の光源５３ｂに近い側の長辺端ＬＥ２とが成す角を表す。θ２は、長辺端ＬＥ１と反射板５９１ａの下端ＢＥ１とが成す角、及び、長辺端ＬＥ２と反射板５９２ａの下端ＢＥ２とが成す角を表す。θ３は、下端ＢＥ１と反射板５９１ａの反射面の上端とが成す角、及び、下端ＢＥ２と反射板５９２ａの反射面の上端とが成す角を表す。θ１、θ２、θ３及びθ４は、一例として、θ１＝２５．７度、θ２＝２５．３度、θ３＝２１．７度、θ４＝３９度とするが、これに限るものではない。上方へ進めるべき光及び下方へ進めるべき光の割合などに応じて適宜調整してよい。
【００３７】
光源５３ｂから発せられる出射光は、第１の部分出射光の一例である部分出射光Ｌ２１、第２の部分出射光の一例である部分出射光Ｌ１５及び第３の部分出射光の一例である部分出射光Ｌ１１を含む（図８参照）。
【００３８】
部分出射光Ｌ１１は、光源５３ｂから発せられた出射光のうち、反射板５９１ａ及び反射板５９２ａにより反射されずに、レンズ部５９７のレンズ台座部５９７ｃ及びカバー部５９の上板部５９５ｈを通過する光である。部分出射光Ｌ１１は、光源５３ｂから、基準視にて略θ１の範囲内に出射されている。部分出射光Ｌ１１は、底板部５９５ａに到達して拡散され、照明器具１０の下方を主に照らす。
【００３９】
部分出射光Ｌ３１は、一例として図１２（ａ）に示すように、光源５３ｂから発せられた出射光のうち、反射板５９１ａ及び反射板５９２ａ、反射板７２１及び反射板７２２により反射されずに、透過部７０１及び上板部７４３を通過する光であり、基準視にて略θ１１の範囲内に出射された光である。部分出射光Ｌ３１は、底板部５９５ａに到達して拡散され、照明器具１０ａの下方を主に照らす。
【００４０】
部分出射光Ｌ１５は、光源５３ｂから発せられた出射光のうち、基準視にてθ３の範囲内に出射された光であり、一例として図７（ａ）に示すように、反射板５９１ａ及び反射板５９２ａのいずかにより反射され、レンズ台座部５９７ｃ及び上板部５９５ｈを通過し、焦点ＦＰ２を通る。部分出射光Ｌ１５は、底板部５９５ａ、側板下部５９５ｂ及び側板下部５９５ｃに到達して拡散され、照明器具１０の下方及び斜め下を主に照らす。
【００４１】
反射板５９１ａ及び反射板５９２ａが存在することにより、光源５３ｂから図６に示すθ３の範囲内に出射された光が、直接、ユーザの視界に差し込むのを防ぐことができる。すなわち、照明器具１０は、仰角がθ４程度以上である人の視線に光が差し込むのを低減し、目に優しい光を発することができる。
【００４２】
部分出射光Ｌ２１は、光源５３ｂから発せられた出射光のうち、基準視にてθ２の範囲内に出射された光であり、一例として図７（ｂ）に示すように、レンズ部５９７の部分曲面フレネルレンズ部５９７ａ及び部分曲面フレネルレンズ部５９７ｂに入射して、反射板６０１及び反射板６０２により反射されるように、反射板６０１及び反射板６０２の表面の範囲内に到達するよう制御される。部分出射光Ｌ２１は、反射板６０１及び反射板６０２に到達し、反射されて水平方向よりも上に向かって進む。部分出射光Ｌ２１の大部分は、上カバー部５９３及び上カバー部５９４に到達し、透過又は拡散されて、照明器具１０の上方、斜め上を主に照らす。部分出射光Ｌ２１の一部は、側板中部５９５ｄ及び側板中部５９５ｅに到達して拡散され、照明器具１０の側方及び斜め上を主に照らす。反射板６０１及び反射板６０２は外側に向かうにつれて下方向に傾斜しているので、部分出射光Ｌ２１は水平よりやや斜め上方向の光となり、天井の広範囲を照らすことができる。
【００４３】
以上のように、照明器具１０によれば、一方向を照らす２π配光的な光源を使用して上方を照らす部分出射光Ｌ２１を作り出すことにより、全方向を照らす４π配光的な照明器具を実現でき、天井を明るくすることにより明るさ感を向上できる。
【００４４】
＜２．第２の実施形態＞
第１の実施形態では、部分曲面フレネルレンズ部５９７ａ及び部分曲面フレネルレンズ部５９７ｂを含むレンズ部５９７、表面が平坦な反射板６０１及び反射板６０２を用いていたが、これに限らず、レンズ部５９７並びに反射板６０１及び反射板６０２の材料、形状及び構造を変更してもよい。
【００４５】
図１１は、第２の実施形態に係る筒部５９０ａを示す。筒部５９０ａは、第１の実施形態に係る筒部５９０と比べて、（１）レンズ部５９７に替えて、レンズ機能を有さない透過部７０１を用いる点、（２）表面が平面である反射板６０１及び反射板６０２に代えて、第２の反射板の一例として、表面が曲面である反射板７２１及び反射板７２２を用いる点が異なる。透過部７０１、反射板７２１及び反射板７２２の使用に伴い、斜板部５９５ｆ、及び斜板部５９５ｇに代えて、反射板７２１及び反射板７２２を支持可能である、表面が曲面である斜板部７４１及び斜板部７４２を用い、上板部５９５ｈに替えて、斜板部７４１及び斜板部７４２に接続可能な形状の上板部７４３を用いている。
【００４６】
＜２．１．反射板７２１、反射板７２２＞
反射板７２１は、表面が鏡面となっており、鏡面を上として斜板部７４１の上に貼付される部材である。反射板７２２は、表面が鏡面となっており、鏡面を上として斜板部７４２の上に貼付される部材である。反射板７２１及び反射板７２２は、アルミニウムで構成するものとするが、光を反射する機能を備えた他の素材で構成するものとしてよい。また、反射板７２１及び反射板７２２は、貼付に限らず蒸着などの他の方法で斜板部７４１及び斜板部７４２の上に形成されてもよい。反射板７２１の表面は、図１１に示すように、基準視にて、光源５３ｂを焦点とする放物線ＰＡ１の一部に一致する曲面となっている。反射板７２２の表面は、基準視にて、光源５３ｂを焦点とする放物線ＰＡ２の一部に一致する曲面となっている。放物線ＰＡ１及び放物線ＰＡ２は、それぞれ軸が、光源５３ｂの表面（水平面）に対し角度θ１０傾いている。角度θ１０は、一例として５度とするが、反射板７２１及び反射板７２２により光を反射すべき方向に応じて適宜変更してよい。
【００４７】
なお、反射板７２１、７２２の基準視における形状は放物線に限られず、外側になるにつれて水平に近くなる形状であればよく、反射光を遠方まで向けて明るさ感を向上させることができる。
【００４８】
＜２．２．光の経路＞
本実施の形態における照明器具（図示しないが、識別を容易にするために便宜上「照明器具１０ａ」という。）において、光源５３ｂから出射された出射光が通る経路について図１１、図１２（ａ）、図１２（ｂ）及び図１３を用いて説明する。
【００４９】
ここで、θ１１は、筒部５９０ａの基準視にて、光源５３ｂの光軸ＯＡと反射板７２１の光源５３ｂに近い側の長辺端ＬＥ１１とが成す角、及び光軸ＯＡと反射板７２２の光源５３ｂに近い側の長辺端ＬＥ１２とが成す角を表す。θ１２は、筒部５９０ａの基準視にて、長辺端ＬＥ１１と反射板５９１ａの下端ＢＥ１１とが成す角、及び、長辺端ＬＥ１２と反射板５９２ａの下端ＢＥ１２とが成す角を表す。θ１３は、筒部５９０ａの基準視にて、下端ＢＥ１１と反射板５９１ａの反射面の上端とが成す角、及び、下端ＢＥ１２と反射板５９２ａの反射面の上端とが成す角を表す。反射板５９１ａと反射板５９２ａの下端の形状は、透過部７０１の形状に応じて、第１の実施形態の場合に比べ変更可能である。θ１１、θ１２及びθ１３は、一例として、θ１１＝２９．０度、θ１２＝２１．１度、θ１３＝２６．３度とするが、これに限るものではなく、上方へ進めるべき光及び下方へ進めるべき光の割合などに応じて適宜調整してよい。
【００５０】
図１３に示すように、光源５３ｂから発せられる出射光は、第１の部分出射光の一例である部分出射光Ｌ４１、第２の部分出射光の一例である部分出射光Ｌ３５、及び第３の部分出射光の一例である部分出射光Ｌ３１を含む。
【００５１】
部分出射光Ｌ３１は、一例として図１２（ａ）に示すように、光源５３ｂから発せられた出射光のうち、反射板５９１ａ及び反射板５９２ａ、反射板７２１及び反射板７２２により反射されずに、透過部７０１及び上板部７４３を通過する光である。部分出射光Ｌ３１は、光源５３ｂから、基準視にて略θ１１の範囲内に出射されている。部分出射光Ｌ３１は、底板部５９５ａに到達して拡散され、照明器具１０ａの下方を主に照らす。
【００５２】
部分出射光Ｌ３５は、一例として図１２（ａ）に示すように、光源５３ｂから発せられた出射光のうち、基準視にてθ１３の範囲内に出射された光であり、反射板５９１ａ及び反射板５９２ａのいずかにより反射され、透過部７０１及び上板部７４３を通過し、焦点ＦＰ２を通る。そして部分出射光Ｌ３５は、底板部５９５ａ、側板下部５９５ｂ及び側板下部５９５ｃに到達して拡散され、照明器具１０ａの下方及び斜め下を主に照らす。
【００５３】
ここで、反射板５９１ａ及び反射板５９２ａが存在することにより、光源５３ｂから出射される出射光の一部について、光源５３ｂの表面に対し、光源５３ｂの表面と反射板５９１ａの下端との成す角、及び光源５３ｂの表面と反射板５９２ａの下端との成す角であるカットオフアングルθ１４（図１１参照）以下の方向に照射された光の少なくとも一部を反射し、直接ユーザの視界に入ることが防がれることから、グレアの発生を防止することができる。すなわち、照明器具１０ａは、仰角がθ４（カットオフアングル）程度の人の視線に光が差し込むのを低減し目に優しい光を発することができる。
【００５４】
部分出射光Ｌ４１は、光源５３ｂから発せられた出射光のうち、基準視にてθ１２の範囲内に出射された光であり、一例として図１２（ｂ）に示すように、透過部７０１に入射し透過する。部分出射光Ｌ４１は、反射板７２１及び反射板７２２に到達して反射されて水平方向よりも上に向かって進む。部分出射光Ｌ４１の大部分は、上カバー部５９３及び上カバー部５９４に到達し、透過又は拡散されて、照明器具１０ａの上方、斜め上を主に照らす。部分出射光Ｌ４１の一部は、側板中部５９５ｄ及び側板中部５９５ｅに到達して拡散され、照明器具１０ａの側方及び斜め上を主に照らす。
【００５５】
以上のように、照明器具１０ａによれば、図１３に示すように、一方向を照らす２π配光的な光源を使用して全方向を照らす４π配光的な照明器具を実現でき、天井を明るくすることにより明るさ感を向上できる。
【００５６】
＜２．３．補足＞
照明器具１０ａでは、照明器具１０で用いていたレンズ部５９７に替えて透過部７０１を用いている。レンズ部５９７における、部分曲面フレネルレンズ部５９７ａ及び部分曲面フレネルレンズ部５９７ｂは、エッジ部分を必ず有すことになるが、成型過程において設計通りのエッジを形成することが難しく、エッジが設計よりも鈍った形状を有するような場合がある。このようなエッジ部分に入射する光については、設計と異なる反射、屈折又は乱反射などをし、制御しきれない場合が生じる。そうすると、光の利用効率が低下し得る。一方で、照明器具１０ａにおいては、曲面フレネルレンズを使用していないため、エッジ部分での光の利用効率が低下するというような問題を回避することができる。また、照明器具１０ａでは、曲面フレネルレンズを使用せずに透過部７０１を用い、反射板７２１及び反射板７２２の表面形状を曲面にすることで光を制御可能としている。
【００５７】
＜３．変形例その他＞
以上、本発明に係る照明器具の実施形態を説明したが、例示した照明器具を例えば以下のように変形することも可能であり、本発明が上述の実施形態で示した通りの照明器具に限られないことは勿論である。
【００５８】
（１）上述の実施形態では、係合部５９１は、反射板５９１ａ及び反射板５９２ａを有していたが、これに限らず、反射板５９１ａ及び反射板５９２ａを有さず、レンズ部５９７が反射板５９１ａ及び反射板５９２ａの位置まで延びていてもよい。
【００５９】
（２）一例として図１４に示すように、照明器具であって、光源５３ｂと、照明器具の外面の内側に配され、水平に対し傾斜する光制御部材とを備え、その光制御部材が光源５３ｂからの出射光の一部である第１の部分出射光を水平に対し上方向に進行するよう制御すれば足りる。光制御部材は、一例として図１４に示すように、反射板７２１及び反射板７２１のような反射板であってもよい。所望の配光を実現するよう、光制御部材の傾斜度合いを調整すればよく、この構成によれば、制御された光により従来よりも上方を明るく照らすことができる照明器具を提供できる。
【００６０】
なお、この場合、第２の実施形態では、反射板５９１ａおよび反射板５９２ａで反射されていた部分反射光Ｌ３５は、図１４に示すように、上カバー部５９３及び上カバー部５９４に到達する。また、光制御部材は、一例として、第１の部分出射光を水平に対し上方向に進行するよう制御するレンズであってもよい。
【００６１】
（３）上述の実施形態では、カバー部を構成する各部について透過率の一例を明示しているが、透過率はこれに限るものではなく、実現すべき照明器具１０、１０ａの仕様に応じて適宜変更可能である。また、素材についても、実現すべき照明器具１０、１０ａの仕様に応じて適宜変更可能である。
【００６２】
（４）上述の実施形態では、照明器具が長尺状のものとして説明したが、これに限らず、円盤状のものなど他の形状であってもよい。
【００６３】
（５）上述の実施形態では、照明器具において、器具本体と光源ユニットとが分離可能な例について説明したが、これに限らず、例えば一体化されたものであってもよい。
【００６４】
（６）上述の実施形態では、取付バネ部とバネ受けの組を２組使用する例で説明したが、２組に限らず、３組以上であってもよい。
【００６５】
（７）本発明の各部構成は上記実施形態及び変形例に限らず、特許請求の範囲に記載の技術的範囲内で種々の変形が可能である。例えば、上記照明器具の各部構成は、ＬＥＤに係る照明器具に限定されていない様々な照明器具に適用することが出来る。
【００６６】
（８）上述の実施形態及び各変形例を、部分的に組み合せてもよい。
【００６７】
＜４．発明の抽出＞
上記の実施形態および変形例から抽出される発明として、例えば、以下の発明を挙げることができる。
【００６８】
（１）本発明の一実施形態に係る照明器具は、照明器具であって、光源と、前記照明器具の内部に配され、前記照明器具の外側に向かうにつれて下方向に傾斜する光制御部材とを備え、前記光制御部材は、前記光源からの出射光の一部である第１の部分出射光を上方向に進行するよう制御する。
【００６９】
この構成により、制御された光により従来よりも上方を明るく照らすことができる照明器具を提供できる。
【００７０】
（２）前記照明器具は、さらに、上下方向に配された反射板を備え、前記反射板は、前記光源からの出射光の一部である第２の部分出射光を下方へ反射することとしてもよい。
【００７１】
この構成により、従来よりも、配光制御された光により下方を照らすとともに、上方を明るく照らすことができる照明器具を提供できる。
【００７２】
（３）前記反射板の断面は、表面が前記光源を焦点の一方とする楕円の一部に一致することとしてもよい。
【００７３】
この構成により、従来よりも、配光制御された光により下方を照らすとともに、上方を明るく照らすことができる照明器具を提供できる。
【００７４】
（４）前記反射板は、前記第２の部分出射光として、前記光源の表面に対しカットオフアングル以下で照射された光の少なくとも一部を反射することとしてもよい。
【００７５】
この構成により第２の部分出射光が仰角がカットオフアングル以上である人の視線に光が差し込むのを低減し、目に優しい光を発することができる。
直接ユーザの視界に入ることがないので、グレアの発生を防止することができる。
【００７６】
（５）前記照明器具は、前記第１の部分出射光が前記光制御部材に到達するよう制御するレンズを備えることとしてもよい。
【００７７】
この構成により、配光が制御された光を反射板に導くことができる。
【００７８】
（６）また、前記レンズは、凸レンズの前記光源に面する側を階段状に凹ませた曲面フレネルレンズであることとしてもよい。
【００７９】
この構成により、凹ませた部分において光を妨げずに進行させ、効率のよい配光制御をすることができる。
【００８０】
（７）また、前記光制御部材の断面は、表面が前記光源を焦点とする放物線の一部に一致する反射面を有することとしてもよい。
【００８１】
この構成により、効率よく上方へ光を反射することができる。
【００８２】
（８）また、前記第１の部分出射光が透過する上カバー部と、前記第２の部分出射光を透過する下カバー部を備え、前記上カバー部の透過率は前記下カバー部の透過率より高いこととしてもよい。
【００８３】
この構成により、光源から出射され、光制御部材によって上方へ反射される出射光によって、効率良く上方、天井面を照らすことができ、明るさ感を向上することができる。また、上カバー部を通過する光は、直接下方へと向かうことがないので、光透過率が高いにもかかわらずユーザが不快なまぶしさを感じることがない、すなわち、グレアの発生を防止することができる。
【００８４】
（９）本発明の一実施形態に係る光源ユニットは、照明器具に用いられる光源ユニットであって、光源と、前記光源ユニットの外面の内側に配され、水平に対し傾斜する光制御部材とを備え、前記光制御部材は、前記光源からの出射光の一部である第１の部分出射光を水平に対し上方向に進行するよう制御する。
【００８５】
この構成により、従来よりも、上方を明るく照らすことができる光源ユニットを提供できる。
【００８６】
（１０）前記光源ユニットは、さらに、上下方向に配された反射板を備え、前記反射板は、前記光源からの出射光の一部である第２の部分出射光を下方へ反射することとしてもよい。
【００８７】
この構成により、従来よりも、配光制御された光により下方を照らすとともに、上方を明るく照らすことができる光源ユニットを提供できる。
【符号の説明】
【００８８】
１０、１０ａ  照明器具
１５  電源ケーブル
３０  器具本体
３１  筐体
３１ａ  底板部
３１ａａ  底面
３１ｂ、３１ｃ  長辺側板部
３１ｄ、３１ｅ  短辺側板部
３５ａ、５８ａ  ケーブル
３５ｂ、５８ｂ  コネクタ
３７ｂ  台座
５０  光源ユニット
５１  支持体
５３  光源部
５３ａ  光源基板
５３ｂ  光源
５５  電源部
５７ａ、５７ｂ  取付バネ部
５９  カバー部
６１  凸レンズ
６３  フレネルレンズ
６５  曲面フレネルレンズ
６５ａ、６５ｂ  部分曲面フレネルレンズ
６７  空間
５９０、５９０ａ  筒部
５９１、５９２  係合部
５９１ａ、５９２ａ  反射板（第１の反射板）
５９１ｂ、５９２ｂ  受け入れ部
５９３，５９４  上カバー部
５９５  下カバー部
５９５ａ  底板部
５９５ｂ、５９５ｃ  側板下部
５９５ｄ、５９５ｅ  側板中部
５９５ｆ、５９５ｇ、７４１、７４２  斜板部
５９５ｈ、７４３  上板部
５９７  レンズ部
５９７ａ、５９７ｂ  部分曲面フレネルレンズ部
５９７ｃ  レンズ台座部
５９７ｄ  突出部
５９８，５９９  端板部
６０１、６０２、７２１、７２２  反射板（第２の反射板）
７０１  透過部
ＢＥ１、ＢＥ２  下端
ＣＯ  収容凹部
Ｌ１１、Ｌ１５、Ｌ２１、Ｌ３１、Ｌ３５、Ｌ３７、Ｌ４１  部分出射光
ＬＥ１、ＬＥ２、ＬＥ１１、ＬＥ１２  長辺端
ＯＡ  光軸
ＯＶ  楕円曲線
ＰＡ１、ＰＡ２  放物線
ＳＶ  破線矢印
【図１】
2020091937.tif 000003
【図２】
2020091937.tif 000004
【図３】
2020091937.tif 000005
【図４】
2020091937.tif 000006
【図５】
2020091937.tif 000007
【図６】
2020091937.tif 000008
【図７】
2020091937.tif 000009
【図８】
2020091937.tif 000010
【図９】
2020091937.tif 000011
【図１０】
2020091937.tif 000012
【図１１】
2020091937.tif 000013
【図１２】
2020091937.tif 000014
【図１３】
2020091937.tif 000015
【図１４】
2020091937.tif 000016